(57)【要約】【課題】対面型の通信を容易にするための方法および装置を提供すること。【解決手段】グラフィックおよびテキスト画像を表示するための装着型の電子タグであって、他の同様のタグと通信するための装着型タグ。各タグは、ユーザに装着されるように構成された可視グラフィック・ディスプレイを備えている。さらにタグは、赤外線送信器‐受信器などの短距離の事実上単一方向性の電子通信チャンネルを、ディスプレイ・ユニットが装着されたときにインターフェイスが同様のタグを同様に装着している他の者との所望の通信の方向に面するよう、ディスプレイ・ユニット上に配置して備えている。この構成によって、自動的なデータ交換および交換したデータの比較が可能であり、比較の結果を２人の装着者が装着しているタグに表示することができる。さらにタグは、データを受信および送信するため、より長距離の無線通信システムを有している。【選択図】図１
2011102989.tif 000002
【特許請求の範囲】
【請求項１】
本願明細書に記載の装置。
【発明の詳細な説明】
【技術分野】
【０００１】
本願は、出願番号第１０／３９６，０６４号（２００３年３月２４日出願）の一部継続出願である。
【背景技術】
【０００２】
本発明は、対面型の通信を容易にするための方法および装置に関する。さらに具体的には、本発明は、装着型のディスプレイであって、装着者の動作有りまたはなしで装着者のディスプレイが互いに通信できるようにする通信能力を有する装着型ディスプレイに関する。
【０００３】
過去数年にわたり、対面型の通信を容易にするための技術が、Ｍａｓｓａｃｈｕｓｅｔｔｓ  Ｉｎｓｔｉｔｕｔｅ  ｏｆ  ＴｅｃｈｎｏｌｏｇｙのＭｅｄｉａ  Ｌａｂｏｒａｔｏｒｙで開発されてきた。本発明の発明者のうちの１名が、ミーティングの参加者たちが紙製のバッジの代わりに装着する「インテリジェント・バッジ」の開発において、先進的な役割を果たした。この技術の初期の具現化においては、複数のＬＥＤを備えて互いに通信するバッジが使用された。バッジ間を送信される信号が、あらかじめプログラムされた多肢問題への回答を意味していた。このようなバッジを装着している２人が互いに近づいたとき、点灯しているＬＥＤの数を眺めることによって、この２人が同じ選択を回答した多肢問題の数を確認することができる。例えば、バッジに５つのＬＥＤが存在し、２人が互いに近づいたときに３つが点灯したとき、彼ら両者は、３つの問題に同じ選択を回答したことを知る。
【０００４】
この技術は、後に、コード化されたアイデアを含めることによって拡張された。アイデアを表現するデータを、バッジへと入力することができる。アイデアが、装着者のバッジにテキストで表示される。２名の装着者が互いに接近したとき、一方は、他方のアイデア（当該アイデアを、相手方のバッジに読み取ることができる）に同意する場合に、自身のバッジのボタンを押すことができ、当該アイデアが「受け入れ」られる。この受け入れが記憶されるため、ミーティングにおいて、参加者の間でどのアイデアがより広く受け入れられたのか、およびどれが受け入れのレベルが低かったのかについて、データを集めることができる。
【発明の概要】
【課題を解決するための手段】
【０００５】
要約すると、本発明の装置は、グラフィックおよびテキスト画像を表示するための装着型の電子ディスプレイ・ユニットであって、他の同様の装着型ディスプレイと通信するための装着型電子ディスプレイ・ユニットに関する。このディスプレイ・ユニットを、以下では説明を容易にする目的で「タグ」と称するが、ディスプレイ・ユニットが「タグ」に限られるわけではない。各タグは、ユーザに装着されるように構成され、テキストおよびグラフィック画像を表示することができる可視グラフィック・ディスプレイを備えている。タグは、例えばランヤードで装着者の首の周囲に装着することができ、あるいは各人のベルトまたは衣服にクリップ留めできる。タグの好ましい実施の形態は、約４インチの正方形であって、電池を除き１インチ未満の奥行きである。電池によって、奥行きにさらに４分の１インチが加えられるかもしれない。タグの重量は、約６オンスである。
【０００６】
さらにタグは、この技術分野においてよく知られているとおり、赤外線送信器‐受信器など、データ送信および受信インターフェイスをディスプレイ・ユニットに組み込んで有する短距離の事実上単一方向性の電子通信チャンネルを備えている。このインターフェイスは、ディスプレイ・ユニットが装着者に装着されたときに、インターフェイスおよびディスプレイが所望の事実上単一方向性の通信の方向に面してタグ間の電気通信を行なうよう、ディスプレイ・ユニット上に位置している。この構成において、２つのタグがデータを交換でき、各タグ装着者が、他方のタグ装着者の装着するタグのディスプレイを閲覧することができる。この構成によって、２名の装着者が装着するそれぞれのタグの間で、各タグのインターフェイスを通じてデータを交換できるようになる。
【０００７】
本発明の好ましい実施の形態においては、タグが２つの電子通信手段を備えることができ、一方は赤外線などの短距離であって、一方はこの技術分野において広く知られており、料金ゲートで料金を電子的に支払うために使用されている無線周波識別通信（ＲＦＩＤ）など、より長い距離である。ＲＦＩＤは、例えば２０フィート未満の中距離の通信チャンネルである。あるいは、より長い距離の通信が、ＷｉＦｉ（ＩＥＥＥ  ８０２．１１およびその後継規格）、または他の無線通信システムであってよい。本発明の一実施の形態においては、タグがＧＰＳ受信器を備えることができ、装着者の正確な位置を確かめることができる。これらの通信、位置標定、または識別システムのいずれか、またはすべてを、本発明の目的のために好都合に組み合わせることができる。
【０００８】
相互の通信能力に加えて、タグは、掲示板など他の事物とも通信でき、掲示板が、タグによって送信されてきた情報にもとづいてメッセージをパーソナライズできる。本発明のタグのさらなる望ましい特徴はタイマーであり、種々の通信または装着者による活動（室内への進入、または他のタグ装着者との出会い）について、実際の時間または相対的な時間を記録することができ、本発明の種々の方法のために使用することができる。
【０００９】
タグはそれぞれ、マイクロプロセッサおよびメモリを有している。データを、いくつかのやり方でメモリに入力できる。例えば、タグは、「上スクロール」、「下スクロール」、および「選択」など、少なくとも最小限の数のキーまたはボタンを有するであろう。さらに、タグが、ＰＤＡにおいて行なわれているように、メニューまたはテキストを上下にスクロールするために、クリック可能スクロール（選択が、スクロール・ホイールを押し込むことによって通知される）など、スクロール・ホイールを備えてもよい。所望であれば、完全なキーボードを備えてもよい。これにより、手動によるデータ入力が容易になる。さらに、データを、ＲＦＩＤ読み取り器または他の任意の無線システムから、タグへと送信することができる。装着者が、そのような読み取り器を通過するとき、データをタグへと配することができる。さらに、データを、ＲＦＩＤ送信を使用して例えば部屋全体に「配信」し、範囲内のすべてのタグへとダウンロードでき、あるいは適切な符号化を使用して選択されたタグのみへとダウンロードできる。最後に、タグが、シリアルポートなどの有線ポートを有してもよく、データをパーソナル・コンピュータ（「ＰＣ」）などからダウンロードすることができる。
【００１０】
タグのディスプレイは、例えばＬＣＤディスプレイなどであるが、バックライト付きであってよく、電池電力を節約するためにバックライト・オフ・タイマーを備えることができる。さらに、タグが、光または閃光などの追加の視覚的表示を備えてもよい。これに代え、あるいはこれに加えて、タグが装着者に知らせるために音響またはビープ音を発してもよい。好ましくは、光は、タグ上に装着者が通常眺めることができる位置に配置される。
【００１１】
さらに、ディスプレイを、装着者および付近の者の両者によって眺められ、すなわち１つのモードにおいて装着者によって眺められ、他のモードにおいて付近の者によって眺められるよう、構成することができる。例えば、タグが装着者の首の周囲にぶら下げられ、通行人がテキストを眺めることができる。一方、装着者がタグを読むべく持ち上げたときは、装着者が容易に読み取ることができるようテキストが反転する。さらに、装着者が近距離でタグを読むときは、より多くのテキストをディスプレイ上に表示できるよう、テキストをより小さくすることができる。一方、タグが他の者によって読み取られるときは、遠方から読み取ることができるようにテキストを拡大することができる。これらのモードを自動で切り替えるために、タグは、タグが１つの垂直方向を向いているのか、あるいは反対の垂直方向を向いているのかを検出するセンサを備えている。そのような傾斜センサは、この技術分野において広く知られている。
【００１２】
さらに本発明は、本発明のタグを使用する対面型の通信方法を含んでいる。この通信方法は、情報の第１のパケットを第１の装着者のタグから第２の装着者のタグへと電子的に渡すことによって行なわれ、前記情報が、第１の装着者についての個人情報を含んでいる。次いで、第１の装着者によって渡された前記情報の第１のパケットと、第２の装着者のタグ内に含まれている情報の第２のパケットとの比較にもとづくテキスト情報が、第２の装着者のタグに表示される。情報の第２のパケットは、第２の装着者についての個人情報を含んでいる。次いで、テキスト情報が、第２の装着者のタグに表示され、第１の装着者にとって視認可能である。表示されるテキスト情報は、前記情報の２つのパケットの比較からもたらされる情報を含んでいる。
【００１３】
次いで、２名のうちの一方または両者は、他方の者のタグにて目にした何かにもとづいて、すべて好ましい実施の形態の詳細な説明および図面に説明するとおり、さまざまな行動をとることができる。
例えば、本発明は、以下の項目を提供する。
（項目１）
装着型電子ディスプレイ・ユニットであって、２つのモードにて、すなわち主たる閲覧者が該ディスプレイ・ユニットを装着している者である１つのモード、および主たる閲覧者が該ディスプレイ・ユニットを装着している者から読み取り距離の範囲内に位置している他の者である第２のモードにて、画像を表示するための装着型電子ディスプレイ・ユニットであり、該装着型電子ディスプレイ・ユニットは、
ユーザによって装着されるように構成されるとともに、画像を表示することができるディスプレイを有している可視ディスプレイ・ユニット、および
該ディスプレイが１つの垂直方向を事実上向いているか、あるいは反対の垂直方向を事実上向いているかを検出し、該垂直方向を知らせる電子信号をもたらすセンサを有しており、該ディスプレイが、該ディスプレイが該１つの垂直方向を事実上向いていることを知らせる該センサからの信号に応答して、表示画像を第１の垂直方向に向け、該ディスプレイが、該ディスプレイが該反対の垂直方向を向いていることを知らせる該センサからの信号に応答して、表示画像を第２の反対の垂直方向に向ける、装着型電子ディスプレイ・ユニット。
（項目２）
装着型電子ディスプレイ・ユニットであって、２つのモードにて、すなわち主たる閲覧者が該ディスプレイ・ユニットを装着している者である１つのモード、および主たる閲覧者が該ディスプレイ・ユニットを装着している者から読み取り距離の範囲内に位置している他の者である第２のモードにて、画像を表示するための装着型電子ディスプレイ・ユニットであり、該装着型電子ディスプレイ・ユニットは、
ユーザによって装着されるように構成された可視ディスプレイを有しており、該ディスプレイが画像を表示することができるディスプレイ・ユニット、および
該ディスプレイが１つの垂直方向を事実上向いているか、あるいは反対の垂直方向を事実上向いているかを検出し、該垂直方向を知らせる電子信号をもたらすセンサを有しており、該ディスプレイが該１つの垂直方向を事実上向いていることを知らせる該センサからの信号に応答し、表示画像が該装着者による閲覧にあわせたやり方で表示され、該ディスプレイが該反対の垂直方向を向いていることを知らせる該センサからの信号に応答し、表示画像が該他の者による閲覧にあわせた態様で表示される、装着型電子ディスプレイ・ユニット。
（項目３）
表示画像が、該表示画像が前記他の者による閲覧にあわせたやり方で表示されるときの方が、該表示画像が前記装着者による閲覧にあわせたやり方で表示されるときよりも大きい、項目２に記載の装着型電子ディスプレイ・ユニット。
（項目４）
表示画像が、前記他の者による閲覧にあわせたやり方で表示されるとき、１つの垂直方向に表示され、前記装着者による閲覧にあわせたやり方で表示されるとき、反対の垂直方向に表示される、項目２に記載の装着型電子ディスプレイ・ユニット。
（項目５）
グラフィックおよびテキスト画像を表示するための装着型電子ディスプレイ・ユニットであって、他の同様の装着型ディスプレイと通信するための装着型電子ディスプレイ・ユニットであり、該装着型電子ディスプレイ・ユニットは、
ユーザによって装着されるように構成され、可視グラフィック・ディスプレイを有しており、該可視ディスプレイが、テキストおよびグラフィック画像を表示することができるディスプレイ・ユニット、および
該ディスプレイ・ユニットに組み込まれデータ送信および受信インターフェイスを有している短距離の事実上単一方向性の電子通信チャンネルを有しており、該電子通信チャンネルが、該ディスプレイ・ユニットが装着者に装着されたときに、該インターフェイスが事実上単一方向性の通信の方向に面して、同様のディスプレイ・ユニットを同様に装着している他の者との電子通信を可能にし、これによって２名の装着者の装着するそれぞれのディスプレイ・ユニット間でそれぞれのディスプレイ・ユニットのインターフェイスを通じてデータを交換できるようにするよう、該ディスプレイ・ユニット上に位置している、装着型電子ディスプレイ・ユニット。
（項目６）
前記電子通信チャンネルが、赤外線ビームを送信および受信する、項目５に記載の装着型電子ディスプレイ・ユニット。
（項目７）
画像を表示するための装着型電子ディスプレイ・ユニットであって、他の同様の装着型ディスプレイと通信するための装着型電子ディスプレイ・ユニットであり、
ユーザによって装着されるように構成され、可視ディスプレイを有しており、該可視ディスプレイが画像を表示することができるディスプレイ・ユニット、
同様のディスプレイ・ユニットを同様に装着している他の者との電子通信を可能にし、これによって２名の装着者の装着するそれぞれのディスプレイ・ユニット間でそれぞれのディスプレイ・ユニットのインターフェイスを通じてデータを交換できるようにするため、該ディスプレイ・ユニットに組み込まれデータ送信および受信インターフェイスを有している第１の短距離電子通信チャンネル、および
該ディスプレイ・ユニットに組み込まれ、該第１の電子通信チャンネルと異なる種類のデータ伝送システムを使用する第２のより長距離の電子通信チャンネルを有している、装着型電子ディスプレイ・ユニット。
（項目８）
前記第１の通信チャンネルが、赤外線ビームを使用して送信および受信を行なう、項目７に記載の装着型電子ディスプレイ・ユニット。
（項目９）
前記第２の通信チャンネルが、ＲＦＩＤを使用して送信および受信を行なう、項目７に記載の装着型電子ディスプレイ・ユニット。
（項目１０）
前記第１の通信チャンネルが、赤外線ビームを使用して送信および受信を行ない、前記第２の通信チャンネルが、ＲＦＩＤを使用して送信および受信を行なう、項目７に記載の装着型電子ディスプレイ・ユニット。
（項目１１）
前記第２の通信チャンネルが、複数のディスプレイ・ユニットへと送信されたデータを受信することができる、項目７に記載の装着型電子ディスプレイ・ユニット。
（項目１２）
画像を表示するための装着型電子ディスプレイ・ユニットであって、他の同様の装着型ディスプレイと通信するための装着型電子ディスプレイ・ユニットであり、
ユーザによって装着されるように構成され、可視ディスプレイを有しており、該可視ディスプレイが画像を表示することができるディスプレイ・ユニット、
該ディスプレイ・ユニットに組み込まれたデータ送信および受信インターフェイスを有し、該ディスプレイ・ユニットが装着者に装着されたときに、該インターフェイスが同様のディスプレイ・ユニットを同様に装着している他の者との電子通信を可能にするための方向に面して、２名の装着者の装着するそれぞれのディスプレイ・ユニット間でそれぞれのディスプレイ・ユニットのインターフェイスを通じてデータを交換できるようにするよう、該ディスプレイ・ユニット上に位置している電子通信チャンネル
該ディスプレイ・ユニットに収容され、前記電子通信チャンネルに時間についての情報を提供するタイマーを有している、装着型電子ディスプレイ・ユニット。
（項目１３）
前記第２の通信チャンネルが、複数のディスプレイ・ユニットへと送信されたデータを選択的に受信するように構成されている、項目７に記載の装着型電子ディスプレイ・ユニット。
（項目１４）
前記送信されたデータが前記ディスプレイ・ユニットの装着者に向けられたデータを含んでいるか否かを決定することができるデータ検出装置をさらに有している、項目１３に記載の装着型電子ディスプレイ・ユニット。
（項目１５）
前記ディスプレイ・ユニットに組み込まれた手動によるユーザ・インターフェイスをさらに有しており、前記装着者が該ユニットへとデータを手動で入力できるようにしている、項目５に記載の装着型電子ディスプレイ・ユニット。
（項目１６）
前記手動によるユーザ・インターフェイスが、上スクロール、下スクロール、および選択のためのボタンを含んでいる、項目１５に記載の装着型電子ディスプレイ・ユニット。
（項目１７）
注意を引く必要がある装着者へと通知をするように構成された信号発生器をさらに有している、項目５に記載の装着型電子ディスプレイ・ユニット。
（項目１８）
前記信号発生器が光発生器である、項目１７に記載の装着型電子ディスプレイ・ユニット。
（項目１９）
前記光発生器がＬＥＤである、項目１８に記載の装着型電子ディスプレイ・ユニット。
（項目２０）
前記信号発生器が音響発生器である、項目１７に記載の装着型電子ディスプレイ・ユニット。
（項目２１）
前記ディスプレイ・ユニットが、前記装着者の首の周りのランヤードに装着されるように構成されている、項目５に記載の装着型電子ディスプレイ・ユニット。
（項目２２）
前記ディスプレイ・ユニットが、前記装着者へとクリップ留めされて装着されるように構成されている、項目５に記載の装着型電子ディスプレイ・ユニット。
（項目２３）
前記ディスプレイが、バックライト付きＬＣＤディスプレイである、項目５に記載の装着型電子ディスプレイ・ユニット。
（項目２４）
前記バックライトが、所定の時間期間後に自動的にオフするように時間設定されている、項目２３に記載の装着型電子ディスプレイ・ユニット。
（項目２５）
前記バックライトが、或る者が装着するディスプレイ・ユニットが他の者が装着する他のディスプレイ・ユニットの所定の範囲に至ったとき、自動的にオンされる、項目２４に記載の装着型電子ディスプレイ・ユニット。
（項目２６）
前記手動によるインターフェイスが、押されたときに所定のデータを他の者が装着する他のディスプレイ・ユニットへと送信するボタンを含んでいる、項目１５に記載の装着型電子ディスプレイ・ユニット。
（項目２７）
前記ディスプレイ・ユニットが、時間に関するデータを通信できる、項目１２に記載の装着型電子ディスプレイ・ユニット。
（項目２８）
前記ディスプレイ・ユニットが、所定の時間の経過にもとづいて機能を変化させることができる、項目１２に記載の装着型電子ディスプレイ・ユニット。
（項目２９）
前記ディスプレイ・ユニットが、所定の時間の経過にもとづいて、所定の情報の受信または送信を変化できる、項目１２に記載の装着型電子ディスプレイ・ユニット。
（項目３０）
前記第２の通信チャンネルを、前記ディスプレイ・ユニットをプログラムするために使用できる、項目７に記載の装着型電子ディスプレイ・ユニット。
（項目３１）
前記第２の通信チャンネルを、複数のディスプレイ・ユニットから情報を提供するために使用できる、項目７に記載に記載の装着型電子ディスプレイ・ユニット。
（項目３２）
ＧＰＳ信号を受信するための受信器をさらに有している、項目５に記載の装着型電子ディスプレイ・ユニット。
（項目３３）
それぞれがグラフィック・ディスプレイおよび双方向の電子通信能力を有しているディスプレイ・ユニットに関し、第１の装着者に見えるようなやり方で第２の装着者に装着されたディスプレイ・ユニットと対面で通信する方法であって、
該第１の装着者についての個人情報を含んでいる情報の第１のパケットを、第１の装着者のディスプレイ・ユニットから該第２の装着者のディスプレイ・ユニットへと電子的に渡すこと、および
該情報の第１のパケットと該第２の装着者のディスプレイ・ユニット内に含まれている該第２の装着者についての個人情報を含んでいる情報の第２のパケットとの比較にもとづくテキスト情報を、該第２の装着者のディスプレイ・ユニットに表示することを含んでおり、該第２の装着者のディスプレイ・ユニットに表示されたテキスト情報が、該第１の装着者にとって視認可能である、方法。
（項目３４）
前記情報を表示するステップが、前記第２の装着者のディスプレイ・ユニットによる前記情報の第１のパケットの受信に応答して実行されることをさらに特徴とする、項目３３に記載の方法。
（項目３５）
各ディスプレイ・ユニットが、他のディスプレイ・ユニットの装着者にとって視認可能であるように装着者に装着されることをさらに特徴とする、項目３３に記載の方法。
（項目３６）
前記第１の装着者が、前記第２の装着者のディスプレイ・ユニット上に表示された情報にもとづいて行為を行なうステップをさらに特徴とする、項目３３に記載の方法。
（項目３７）
前記行為が、前記情報の第２のパケットによって補助されることをさらに特徴とする、項目３６に記載の方法。
（項目３８）
前記行為が、誰かを見つけようとする試みであることをさらに特徴とする、項目３６に記載の方法。
（項目３９）
前記行為が、誰かを見つけようとする試みであることをさらに特徴とする、項目３７に記載の方法。
（項目４０）
前記情報の第２のパケットが、前記第２の装着者に関する情報であることをさらに特徴とする、項目３３に記載の方法。
（項目４１）
前記情報の第２のパケットが、前記第１または第２の装着者ではない第３の者に関する情報であることをさらに特徴とする、項目３３に記載の方法。
（項目４２）
前記情報の第１のパケットが、前記第１の装着者に関する情報であることをさらに特徴とする、項目３３に記載の方法。
（項目４３）
前記情報の第１のパケットが、前記第１または第２の装着者ではない第３の者に関する情報であることをさらに特徴とする、項目３３に記載の方法。
（項目４４）
前記情報の第２のパケットが、時間に関する情報であることをさらに特徴とする、項目３３に記載の方法。
（項目４５）
前記情報の第２のパケットが、前記第１または第２の装着者ではない第３の者に関し、かつ時間に関する情報であることをさらに特徴とする、項目３３に記載の方法。
（項目４６）
前記情報の第２のパケットが、前記第２のディスプレイ・ユニットの装着者が前記第１または第２の装着者ではない第３の者とやり取りしてからの経過時間に関する情報であることをさらに特徴とする、項目４５に記載の方法。
（項目４７）
前記情報の第２のパケットが、前記第１または第２の装着者ではない第３の者の位置に関する情報であることをさらに特徴とする、項目３３に記載の方法。
（項目４８）
前記情報の第１および第２のパケットが、両方とも、前記第１または第２の装着者ではない同じ第３の者に関する情報であることをさらに特徴とする、項目３３に記載の方法。
（項目４９）
前記情報の第１および第２のパケットの一方が、それぞれ前記第１または第２のディスプレイ・ユニットの装着者が電子的に通信した他の者に関する情報であることをさらに特徴とする、項目３３に記載の方法。
（項目５０）
前記情報の第１および第２のパケットの両方が、それぞれ前記第１または第２のディスプレイ・ユニットの装着者が電子的に通信した他の者に関する情報であることをさらに特徴とする、項目３３に記載の方法。
（項目５１）
前記情報の第１および第２のパケットの一方が、それぞれ前記第２または第１のディスプレイ・ユニットの装着者が電子的に通信した他の者の数に関する情報であることをさらに特徴とする、項目３３に記載の方法。
（項目５２）
前記情報の第１および第２のパケットの両方が、それぞれ前記第１または第２のディスプレイ・ユニットの装着者が電子的に通信した他の者の数に関する情報であることをさらに特徴とする、項目３３に記載の方法。
（項目５３）
それぞれの電子ディスプレイ・ユニットの装着者間の対面でのやり取りの方法であって、各ディスプレイ・ユニットが、テキスト・ディスプレイ、双方向の電子通信能力、および手動での該ディスプレイ・ユニットへの情報入力能力を有しており、第２の装着者のディスプレイ・ユニットが、第１の装着者に見えるようなやり方で第２の装着者に装着されており、該方法が、
該第１の装着者のディスプレイ・ユニットへと手動で入力された情報を含んでいる情報の第１のパケットを、該第１の装着者のディスプレイ・ユニットから該第２の装着者のディスプレイ・ユニットへと電子的に渡すこと、および
該情報の第１のパケットならびに該第２の装着者のディスプレイ・ユニット内に含まれている情報の第２のパケットにもとづく情報を含んでいるテキスト情報を、該第２の装着者のディスプレイ・ユニットに表示することを含んでおり、該第２の装着者のディスプレイ・ユニットに表示されるテキスト情報が、該第１の装着者にとって視認可能である、方法。
（項目５４）
前記情報の第２のパケットが、前記第２の装着者のディスプレイ・ユニットへと手動で入力された情報をさらに含んでいることをさらに特徴とする、項目５３に記載の方法。
（項目５５）
前記第２の装着者のディスプレイ・ユニットに表示される前記テキスト情報が、前記第１および第２の装着者のディスプレイ・ユニットへと手動で入力された情報にもとづいていることをさらに特徴とする、項目５４に記載の方法。
（項目５６）
前記第２の装着者のディスプレイ・ユニットに表示される前記テキスト情報が、前記第１の装着者のディスプレイ・ユニットへと手動で入力された情報の、該第２の装着者のディスプレイ・ユニットへと手動で入力された情報との比較にもとづいていることをさらに特徴とする、項目５５に記載の方法。
（項目５７）
固定位置に位置しているテキスト表示器と電子ディスプレイ・ユニットの装着者との間でのやり取りの方法であって、該ディスプレイ・ユニットが、テキスト・ディスプレイおよび双方向の電子通信能力を有しており、該固定位置に位置しているテキスト表示器と電子的に通信できるやり方で該装着者に装着されており、該方法が、
情報の第１のパケットを、該装着者のディスプレイ・ユニットから該固定位置に位置しているテキスト表示器へと電子的に渡すこと、および
該情報の第１のパケットならびに該固定位置に位置しているテキスト表示器内に含まれている情報の第２のパケットにもとづく情報を含んでいるテキスト情報を、該固定位置に位置しているテキスト表示器に表示することを含んでおり、
該固定位置に位置しているテキスト表示器に表示された該テキスト情報が、該第１の装着者にとって視認可能である、方法。
（項目５８）
それぞれの電子ディスプレイ・ユニットの装着者間の会合における対面でのやり取りの方法であって、各ディスプレイ・ユニットが、テキスト・ディスプレイおよび双方向の電子通信能力を有しており、第２の装着者のディスプレイ・ユニットが、第１の装着者に見えるようなやり方で第２の装着者に装着されており、
該方法が、
該会合における第１の装着者の個人的活動に関する情報を含んでいる装着者の個人情報を含んでいる情報の第１のパケットを、該第１の装着者のディスプレイ・ユニットから該第２の装着者のディスプレイ・ユニットへと電子的に渡すこと、および
該情報の第１のパケットに含まれている該第１の装着者の個人的活動と、該第２の装着者のディスプレイ・ユニット内に含まれており第２の装着者についての個人情報を含んでいる情報の第２のパケットとにもとづくテキスト情報を、第２の装着者のディスプレイ・ユニットに表示することを含んでおり、該第２の装着者のディスプレイ・ユニットに表示されるテキスト情報が、該第１の装着者にとって視認可能である、方法。
（項目５９）
前記情報の第２のパケットが、前記会合における第２の装着者の個人的活動に関する情報を含んでいることをさらに特徴とする、項目５８に記載の方法。
（項目６０）
前記第２の通信システムが無線通信システムである、項目７に記載の方法。
（項目６１）
前記信号生成器が、装着者の知覚できる振動を生じさせる、項目１７に記載の装着型電子ディスプレイ・ユニット。
（項目６２）
２つのディスプレイ・ユニットを使用する対面型のやり取りの方法であって、第２の装着者のディスプレイ・ユニットが、第１の装着者に見えるようなやり方で第２の装着者に装着されており、
該方法が、
該第１の装着者のソーシャル・ネットワークに関するデータを含んでいる情報の第１のパケットを、該第１の装着者のディスプレイ・ユニットから該第２の装着者のディスプレイ・ユニットへと電子的に渡すこと、および
該情報の第１のパケットと、該第２の装着者のディスプレイ・ユニット内に含まれており該第２の装着者に関するソーシャル・ネットワーク情報を含んでいる情報の第２のパケットとの比較にもとづくテキスト情報を、該第２の装着者のディスプレイ・ユニットに表示することを含んでおり、該第２の装着者のディスプレイ・ユニットに表示されるテキスト情報が、該第１の装着者にとって視認可能であるとともに、当該２名の装着者のソーシャル・ネットワークの間の共通性を表現している、方法。
（項目６３）
前記情報を表示するステップが、前記第２の装着者のディスプレイ・ユニットによる前記情報の第１のパケットの受信に応答して実行されることをさらに特徴とする、項目６２に記載の方法。
（項目６４）
各ディスプレイ・ユニットが、他のディスプレイ・ユニットの装着者にとって視認可能であるように装着者に装着されることをさらに特徴とする、項目６２に記載の方法。
（項目６５）
前記第１の装着者が、前記第２の装着者のディスプレイ・ユニット上に表示された情報にもとづいて行為を行なうステップをさらに特徴とする、項目６２に記載の方法。
（項目６６）
前記行為が、前記情報の第２のパケットによって補助されることをさらに特徴とする、項目６５に記載の方法。
（項目６７）
前記行為が、誰かを見つけようとする試みであることをさらに特徴とする、項目６６に記載の方法。
（項目６８）
前記情報の第２のパケットが、前記第２の装着者に関する情報であることをさらに特徴とする、項目６２に記載の方法。
（項目６９）
前記情報の第２のパケットが、前記第１または第２の装着者ではない第３の者に関する情報であることをさらに特徴とする、項目６２に記載の方法。
（項目７０）
前記情報の第１のパケットが、前記第１の装着者に関する情報であることをさらに特徴とする、項目６２に記載の方法。
（項目７１）
前記情報の第１のパケットが、前記第１または第２の装着者ではない第３の者に関する情報であることをさらに特徴とする、項目６２に記載の方法。
（項目７２）
前記情報の第２のパケットが、時間に関する情報であることをさらに特徴とする、項目６２に記載の方法。
（項目７３）
前記情報の第２のパケットが、前記第１または第２の装着者ではない第３の者に関し、かつ時間に関する情報であることをさらに特徴とする、項目６２に記載の方法。
（項目７４）
前記情報の第２のパケットが、前記第２のディスプレイ・ユニットの装着者が前記第１または第２の装着者ではない第３の者とやり取りしてからの経過時間に関する情報であることをさらに特徴とする、項目７３に記載の方法。
（項目７５）
前記情報の第２のパケットが、前記第１または第２の装着者ではない第３の者の位置に関する情報であることをさらに特徴とする、項目６２に記載の方法。
（項目７６）
前記情報の第１および第２のパケットが、両方とも、前記第１または第２の装着者ではない同じ第３の者に関する情報であることをさらに特徴とする、項目６２に記載の方法。
（項目７７）
前記情報の第１および第２のパケットの一方が、それぞれ前記第１または第２のディスプレイ・ユニットの装着者が電子的にやり取りした他の者に関する情報であることをさらに特徴とする、項目６２に記載の方法。
（項目７８）
前記情報の第１および第２のパケットの両方が、それぞれ前記第１または第２のディスプレイ・ユニットの装着者が電子的にやり取りした他の者に関する情報であることをさらに特徴とする、項目６２に記載の方法。
（項目７９）
前記情報の第１および第２のパケットの一方が、それぞれ前記第２または第１のディスプレイ・ユニットの装着者が電子的にやり取りした他の者の数に関する情報であることをさらに特徴とする、項目６２に記載の方法。
（項目８０）
前記情報の第１および第２のパケットの両方が、それぞれ前記第１または第２のディスプレイ・ユニットの装着者が電子的にやり取りした他の者の数に関する情報であることをさらに特徴とする、項目６２に記載の方法。
（項目８１）
それぞれの電子ディスプレイ・ユニットの装着者間の会合における対面でのやり取りの方法であって、各ディスプレイ・ユニットが、テキスト・ディスプレイおよび双方向の電子通信能力を有しており、第２の装着者のディスプレイ・ユニットが、第１の装着者に見えるようなやり方で第２の装着者に装着されており、該方法が、
該ディスプレイ・ユニットの装着者に関する関係情報を含んでいる情報の第１のパケットであって、該第１の装着者が知っている人々に関する情報を含んでいる装着者についての個人情報を含んでいる情報の第１のパケットを、該第２の装着者のディスプレイ・ユニットへと渡すこと、および
該情報の第１のパケットに含まれている該第１の装着者の関係情報と、該第２の装着者のディスプレイ・ユニット内に含まれており該第２の装着者が知っている人々に関する情報を含んでいる情報の第２のパケットとにもとづくテキスト情報を、該第２の装着者のディスプレイ・ユニットに表示することを含んでおり、該第２の装着者のディスプレイ・ユニットに表示されるテキスト情報が、該第１の装着者にとって視認可能であるとともに、当該２名の装着者が共通に知っている人々に関する情報を表示している、方法。
（項目８２）
画像を表示するための装着型電子ディスプレイ・ユニットであって、他の同様の装着型ディスプレイと通信するための装着型電子ディスプレイ・ユニットであり、該装着型電子ディスプレイ・ユニットは、
第１の装着者によって装着されるように構成され、可視ディスプレイを有しており、該可視ディスプレイがテキストおよびグラフィック画像を表示できる第１のディスプレイ・ユニットであって、該第１の者のソーシャル・ネットワーク・データベースに関する情報を含んでおり、ソーシャル・ネットワーク・データベースからのデータを比較する能力を有している第１のディスプレイ・ユニット、および
該第１のディスプレイ・ユニットに組み込まれたデータ送信および受信インターフェイスを有している短距離の事実上単一方向性の電子通信チャンネルを有しており、該電子通信チャンネルが、該第１のディスプレイ・ユニットが装着者に装着されたときに、該インターフェイスが事実上単一方向性の通信の方向に面して、第２のディスプレイ・ユニットを同様に装着している第２の者との電子通信を可能にするよう、該第１のディスプレイ・ユニット上に位置しており、該第２のディスプレイ・ユニットが、該第２の者のソーシャル・ネットワーク・データベースに関する情報を含むとともに、やはりソーシャル・ネットワーク・データベースからのデータを比較する能力を有しており、これによって各人のソーシャル・ネットワーク・データベースに関するデータを、該２者が装着するそれぞれのディスプレイ・ユニットの間で、それぞれのディスプレイ・ユニットのインターフェイスを通じて交換できるとともに、該２者のソーシャル・ネットワーク・データベースを一方のディスプレイ・ユニットにて比較し、結果を一方のディスプレイ・ユニットに表示できる、装着型電子ディスプレイ・ユニット。
（項目８３）
前記電子通信チャンネルが、赤外線ビームを送信および受信する、項目８２に記載の装着型電子ディスプレイ・ユニット。
（項目８４）
前記ディスプレイが１つの垂直方向を事実上向いているか、あるいは反対の垂直方向を事実上向いているかを検出し、前記垂直方向を知らせる電子信号をもたらすセンサをさらに有している、項目８２に記載の装着型電子ディスプレイ・ユニット。
【図面の簡単な説明】
【００１４】
【図１】図１は、本発明のディスプレイ・ユニットの正面図である。
【図２】図２は、本発明のディスプレイ・ユニットの上面図である。
【図３】図３は、本発明のディスプレイ・ユニットの側面図である。
【図４】図４は、本発明のディスプレイ・ユニットを、反対の向きで示している。
【発明を実施するための形態】
【００１５】
本発明のタグが、図１〜４に示されている。図面を参照すると、タグ１０は、すべての電子機器をモジュール内に有している。タグ１０は、Ｐａｌｍ社および他の多くの企業によって市販されている種類の携帯情報端末と同様のやり方で製造される。このユニットは、マイクロプロセッサ、およびフラッシュ・メモリまたは他の種類の高速メモリなどのメモリを備えており、これらはすべてこの技術分野において公知であり、さらに用途に応じて、ＲＦＩＤおよび赤外線を含む種々のインターフェイス電子機器および通信装置を備えている（これらはユニットの内部にあり、図面には示されていない）。これらは、この技術分野において公知のとおり、プリント回路基板上で相互に接続される。
【００１６】
ユニットは、ランヤード２２を使用して装着者の首の周囲に掛けるように構成されるが、装着者の衣服へと取り付けるため、背面にクリップまたは他の取り付け機構を有してもよい（図示されていない）。ランヤードは、好ましくは長さ調節可能なランヤードであり、長さを短くすることで、タグ・モードにおいて誰か他の人に読み取りされるとき、装着者の胸部にタグを高く掲げることができる一方で、装着者による読み取りのためタグを持ち上げるときに必要な長い長さで使用される。タグは、装着者以外の誰かによって読み取られるとき、「タグ・モード」にある。
【００１７】
本発明においては、タグ１０のディスプレイ１２および通信インターフェイス２０の両者が、第１の装着者と対面して立っている他のタグ装着者と通信が可能であるよう、外側を向いていることが重要である。このようにして、それぞれの装着者が他方の装着者のディスプレイ１２を眺めることができ、通信インターフェイス２０が、他方の装着者のタグ１０の同様の通信インターフェイスに対面する。
【００１８】
所望であれば、タグがステッカー、好ましくは取り外し可能なステッカーを、前面に貼り付けて有することができる。ステッカーには、装着者の名前２４およびロゴ２６で示された装着者の所属を印刷することができる。あるいは、装着者の所属を上部の装着者の名前の下方に印刷でき、ロゴ２６を、例えば会議主催者のロゴとすることができる。このステッカーは、タグが置き忘れられた場合に重要である。これらのタグが、さまざまな装着者のために何度も繰り返し使用されるため、これらのステッカーは、取り外し可能であってパーソナライズ可能である。
【００１９】
これらのタグ１０を装着した２人が対面して立っているとき、例えば赤外線送受信器であってよい彼らのそれぞれの通信インターフェイス２０が、互いに通信する。好ましい実施の形態においては、ＩＲ送受信器が、約３フィートの範囲で情報の交換を開始するように調律される。赤外線送受信器は、この技術分野において広く知られている。一例は、付録Ａに示すとおり、Ａｇｉｌｅｎｔ  Ｔｅｃｈｎｏｌｏｇｉｅｓ社が製造するＩｒＤＡデータ準拠の１１５．２Ｋｂ／ｓ、３Ｖ〜５Ｖの赤外線トランシーバ、型番ＨＳＤＬ‐３６１０＃００７およびＨＳＤＬ‐３６１０＃００８である。このようにして、各ユニットのメモリに収容されているデータを、他のユニットへと渡すことができる。受信側のユニットは、受信した情報のパケットを処理し、受信側ユニット内に収容されている情報のパケットと組み合わせ、組み合わせの結果を受信側ユニットに表示することができる。あるいは、タグが、例えばブルートゥース規格を使用する無線など、他の手段で互いに通信してもよい。これについての多数の例を、後で説明する。
【００２０】
図面には示されていないが、この技術分野においてよく知られているとおり、ＲＦＩＤ通信システムが、タグ１０に収容されている。ＲＦＩＤは、後方散乱システムである。「読み取り器」と呼ばれる基地局が、強力なＲＦ信号を発する。タグは、この信号を再変調し、送信されてきた信号のエネルギーを使用して、読み取り器へと情報を送り返す。これにより、タグにおける電力の要求が最小化される。再変調および再送信のためにタグからのエネルギーはほとんど不要である。本発明のタグは、４本の単四（ＡＡＡ）電池で５日間動作可能である。所望であれば、充電式電池も使用可能である。
【００２１】
ＲＦＩＤは、きわめてロバストな通信の中間距離の通信システムであり、他の種類の無線伝送に害を及ぼす多くの種類の干渉に耐えることができる。そのような干渉は、携帯電話、無線マイクロホン、トランシーバ、リモート陸上通信線電話、および／または無線ネットワークによって生じる。ＲＦＩＤシステムによれば、再プログラミングを必要とすることなく、多数のユーザが広い範囲にわたって歩き回ることが可能である。
【００２２】
タグ１０の内部には、この技術分野においてよく知られているとおり、タグの読み取り近接度の範囲内のＲＦＩＤ読み取り器からタグのメモリへと情報を送信するため、アンテナおよびエンコード・システム（図示されてない）が存在する。同様に、読み取り器の範囲内を通過するタグのメモリからのデータが、例えば他のタグから受信した情報との照合のためのコンピュータへとさらに伝送するため、読み取り器へと送信される。このようなＲＦＩＤシステムの例は、７７  Ｍａｓｓａｃｈｕｓｅｔｔｓ  Ａｖｅｎｕｅ，  Ｂｕｉｌｄｉｎｇ  ３‐４４９，  Ｃａｍｂｒｉｄｇｅ，  ＭＡ  ０２１３９‐４３０７のＭａｓｓａｃｈｕｓｅｔｔｓ  Ｉｎｓｔｉｔｕｔｅ  ｏｆ  Ｔｅｃｈｎｏｌｏｇｙ、Ａｕｔｏ‐ＩＤ  Ｃｅｎｔｅｒによって２００２年６月１日に発行されたＭａｔｔｈｅｗ  Ｒｅｙｎｏｌｄｓらによる「白書‐マルチバンド、低コストＥＰＣタグ読み取り器（ＷＨＩＴＥ  ＰＡＰＥＲ‐Ｍｕｌｔｉｂａｎｄ，  Ｌｏｗ‐Ｃｏｓｔ  ＥＰＣ  Ｔａｇ  Ｒｅａｄｅｒ）」という題名の記事に説明されている。付録Ｂを参照されたい。本発明のタグに組み込まれる種類の読み取り器およびトランスポンダを含む他のＲＦＩＤシステムが、米国特許第５，０５５，６５９号、第４，７３９，３２８号、第４，７８２，３４５号、第４，７８６，９０７号、第４，８１６，８３９号、第４，８３５，３７７号、および第４，８５３，７０５号に記載されており、これらのすべてはここでの言及によって本明細書に組み込まれたものとする。
【００２３】
当然ながら、他の無線通信システムを、ＲＦＩＤに代え、あるいはＲＦＩＤに加えて使用することができる。例えば、タグ無線（ｔａｇ  ｒａｄｉｏ）が中継ステーションとして機能し、或るタグから他のタグへと、あるいは或るタグから中央の送受信器へと、メッセージを中継できる。基地送受信器が、ミーティング会場または会議場の辺りに配置され、中継機能を提供する。この実施の形態においては、個々のタグが主として基地ユニットと通信する。しかしながら、データ交換のためのタグ対タグの通信も、同じ中継技術を使用して依然として利用可能であり、或るタグの他のタグへの近接度の検出のためにも使用可能である。
【００２４】
タグへとデータを入力し、タグからデータを読み出すために、さまざまなやり方が存在する。多くの会議においては、出席者は、通常はワールドワイド・ウェブで前登録を行なう。このデータが会議の企画者によって集められ、各参加者のタグへと照合およびダウンロードされうる。この目的のため、タグは、シリアルポートなどのポートを有することができ、これを通じてデータをダウンロードすることができる。このインターフェイスは広く知られており、例えばＰＤＡをＰＣへと同期するために使用されている。会議が終了したとき、データを、同じポートを使用してタグからコンピュータへとアップロードできる。
【００２５】
さらに、ＲＦＩＤ読み取り器を利用してタグへとデータを入力でき、タグからデータを読み出すことができる。タグがそのような読み取り器の範囲を通過するとき、読み取り器は、この技術分野においてよく知られているとおり、タグへとデータをダウンロードでき、タグからデータをアップロードできる。
【００２６】
当然ながら、タグそのものを、データの取得および送信のために使用することができる。タグに作りこまれた赤外線チャンネルが、他のタグへとデータを送信し、他のタグからデータを受信し、さらにＰＣの赤外線送受信器（ラップトップ・コンピュータに一般的に搭載されている）へと直接、あるいは読み出すべきタグまたはデータがもたらされるタグとＰＣとの間に介在する追加のタグを介して、ＰＣへとデータを送信するためにも使用できる。この用途においては、追加のタグは、例えばシリアルポートを介してＰＣに取り付けることができる。ＩＲは通常はＲＦＩＤよりも広い帯域幅を有しているため、このＲＦを使用するタグ対タグの方法は、大量のデータのロードまたはアンロードにおいて、ＲＦＩＤを使用するよりも有利である。
【００２７】
最後に、装着者も、ボタン１４、１６、および１８を使用することによって、自身のタグにデータを入力することができる。例えば、ボタン１４を下スクロール・ボタンとして使用でき、ボタン１６を上スクロール・ボタンとして使用でき、ボタン１８を選択ボタンとして使用できる。このようなやり方で、ユーザは、先にタグへとダウンロードされたリストから選択肢を選択することができ、あるいは多肢選択問題に回答することができる。あるいは、所望であれば、タグに音声認識をインストールすることができ、ユーザがタグへと話しかけることによってデータを入力できる。音声による指令を受信するマイクロホンの感度は、タグが「メニュー・モード」（装着者の声のみを聞き取る）にあるか否か、あるいは装置が音声が数フィート離れた位置から到達する「タグ・モード」にある場合か否かに応じて、変化させることができる。
【００２８】
多ユーザによるソーシャル・ネットワーク・データベースの形成において、ワールドワイド・ウェブがどんどん利用されるようになっている。例えば、「Ｆｒｉｅｎｄｓｔｅｒ」などのウェブサイトによって、ユーザは、自身のプロフィールならびに知己のすべての人々の名前をネットワークへと入力できる。次いで、Ｆｒｉｅｎｄｓｔｅｒのユーザは、例えば映画俳優のＴｏｍ  Ｈａｎｋｓ氏など、彼女が面会したいと望む特定の人物を探すことができる。彼女が友人としてリストに挙げた誰かがＴｏｍ  Ｈａｎｋｓ氏を友人としてリストに挙げている場合、ネットワークは、その者の名前をポップアップ表示させる。次いで、このユーザは、Ｔｏｍ  Ｈａｎｋｓ氏と知己であるこの友人に電話または電子メールし、紹介を依頼するだけでよい。彼女の友人のいずれもがＨａｎｋｓ氏を知らない場合、ネットワークは、彼女が友人として挙げた者の友人の誰かがＨａｎｋｓ氏を友人として知って（リストに挙げて）いないかどうかを調べるため、より深い階層を検索する。もし存在するならば、ウェブサイトは、友人（第１次コンタクト）および友人の友人（第２次コンタクト）の両方の名前を、当該ユーザに提示する。これら２人の人物を通じ、おそらくは紹介が手配できる。
【００２９】
本発明のタグは、このようなソーシャル・ネットワーク・データベースとの関連において、きわめて有用でありうる。すでに述べたとおり、タグは、装着者が接触した人々についての記録を保持している。次いで、この情報をソーシャル・ネットワーク・データベースへとダウンロードすることができる。このようにして、或る者のソーシャル・ネットワークが、その者がネットワークに入力したデータの時間的関係だけでなく、装着者が最近対面した人々についてのリアルタイムのデータであって、本発明に従って本明細書に開示の技術を使用してタグからソーシャル・ネットワーク・データベースへとアップロードできるデータを含むことになる。
【００３０】
さらに、ソーシャル・ネットワーク・データを、タグへとダウンロードすることができる。次いで、装着者が、同様に自身のソーシャル・ネットワークをタグ内に有している誰かと対面したとき、この２人は、彼らのソーシャル・ネットワークがどの程度重なり合っているのかを、速やかに見出すことができる。それぞれのタグが、この対面中の２人が共通に知っている任意またはすべての人々のリストを表示できる。これは、人々が新しい誰かに出会ったときに行なう実世界のソーシャル・ゲームに類似している。彼らは、最初の会話の時間の大部分を、彼らが共通に知っているであろう誰かを探すために費やす。タグおよびソーシャル・ネットワークを使用することで、このゲームを大きくスピードアップすることができ、２人の装着者が共通に知っている人物が誰かをまず探すために時間と労力を消費するのではなく、会話を２人の装着者が共通に知っている人物に集中させることができる。タグは、このような機能を、それぞれのタグに収容された各人のソーシャル・データベースと協働して実行する。この機能を、タグそのものにデータを保存して有するのではなく、遠方のサーバ上でリアルタイムで動作しているソーシャル・ネットワーク・データベースを照会すべく、タグの無線を使用して実行してもよい。
【００３１】
さらに、タグを装着している者が、ミーティングに出席している誰かと面会したいと望む場合にソーシャル・ネットワークを利用でき、或る者にとって、探している者を知っている誰か（おそらくは、その者を既に見つけている）と面会した場合に、その者を容易に見つけることができるようになる。タグは、紹介を提案するためにソーシャル・ネットワーク・データを利用することができる。
【００３２】
ミーティングに出かけようとする者がそのように望む場合、彼女は、前もってオンラインのツールにアクセスすることができ、彼女のソーシャル・ネットワークならびにミーティングの出席者のリストを使用して、彼女の友人のどの友人がそのミーティングに出席予定であるのかを見つけることができる。この情報を、彼女が装着しようとしている彼女のタグにダウンロードすることができる。あるいは、すでに説明した無線またはＲＦＩＤ読み取り器を使用し、ミーティングの最中にソーシャル・ネットワーク・データベースにリアルタイムで照会できる。次いで、タグを、すでに述べたとおり、彼女の友人のそれらの友人を突き止めるため、ミーティングにおいて使用することができる。
【００３３】
イベントの後、またはイベントの最中であっても、タグの装着者は、イベントにおいて行なわれた接触を、彼のタグから彼のソーシャル・ネットワークへと、すでに述べたとおりダウンロードすることができる。
【００３４】
イベントにおいて中央または入り口の地点に位置するキオスクを、タグへとデータをダウンロードし、あるいはタグからデータをアップロードするために使用できる。キオスクは、タグが取り付けられてなるＰＣを備えることができ、タグの装着者は、取り付けられているタグへと接近して（あるいは、彼のタグをタグが取り付けられてなるバケットに「浸し」て）、データを受信または送信することができる。あるいは、キオスクがＲＦＩＤ読み取り器を備えてもよく、そのやり方でタグがデータを取得または送信できる。さらに、利用可能になるいくつかのビーム・システムも存在し、中央のサーバへと有線または無線で接続された自己完結のビーム源を提供する。それらは、タグへとデータを取得するために使用することができる。タグへとデータを取り込むための他の方法は、タグへと直接ビームされるＰＤＡからである。ＰＤＡは、ＰＣへと同期されたときにデータを取得でき、あるいは他の方法でデータを取得できる。ユーザは、自身のｐａｌｍへとデータを入力し、そこから自身のタグへとビームすることができる。
【００３５】
本発明の他の特徴が、図３に示されている。ユニットの上部に位置するライト２８が、装着者の注意をタグへと引きたいときに点灯する。あるいは、同じ目的で、可聴でありあるいは振動するブザーまたは警報機（図示されていない）を使用することができる。所望であれば、タグを装着者の首の周囲に保持するランヤードを、装着者の注意を喚起する振動源とすることができる。これらの特徴の利用については、後述する。
【００３６】
本発明の重要な特徴が、図４に示されている。この図においては、ディスプレイ・ユニットが上下逆さに反転されている。これは、装着者が自身のタグに表示されたメッセージを読みたいがために行なわれている。このモードは、「メニュー・モード」と呼ばれる。図４において、メッセージ３２は、「ミーティングが５分後に始まります」である。ディスプレイ・ユニットが上下逆さ（ランヤード２２を首の回りに掛けたままユーザによって持ち上げられたときのように）であるにもかかわらず、テキスト・メッセージが正しい向きであることが、図４に見て取れる。これは、ディスプレイ・ユニット１０が、タグが通常装着されるように上を上にして掛けられているか、あるいは図４に示すように反転されているかを検出する方向センサ（図示されていない）を備えているためである。
【００３７】
日本国のＳｈａｒｐ  Ｅｌｅｃｔｒｏｎｉｃｓ社のＧＰ１Ｓ３６など、市販の傾きセンサを使用することができる。このセンサは、「傾き方向検出用フォトインタラプタＧＰ１Ｓ３６（ＧＰ１Ｓ３６  Ｐｈｏｔｏｉｎｔｅｒｒｕｐｔｅｒ  ｆｏｒ  Ｄｅｔｅｃｔｉｎｇ  Ｔｉｌｔ  Ｄｉｒｅｃｔｉｏｎ）」という表題のＳｈａｒｐ社の仕様書に説明されている。付録Ｃを参照されたい。このセンサから発せられる信号であってタグが反転されていることを示している信号によって、装着者がより容易に読み取ることができるよう、グラフィカル・ディスプレイ１２に表示されるテキストが反転させられる。さらに、所望であれば、より長いメッセージを装着者へと提示できるよう、テキストをより小さいテキストへと切り替えることができる。次いで、タグが「タグ・モード」と呼ばれるぶら下げられた通常の状態に戻されたとき、この向きをセンサが検知し、テキストのモードが再度反転させられるとともに、所望であれば、装着者に対面して立つ他の者が容易に眺めることができるよう、より大きくされる。あるいは、所望であれば、モードの切り替えにユーザの入力（例えば、ボタンから）を使用することができる。
【００３８】
装着者によって読み取られるべきモードにあるタグを読むために、さまざまなやり方が存在する。このモードは、「メニュー・モード」と呼ばれる。１つのやり方は、メニュー内のエントリをいくつかのやり方でランク付けしてなるメニュー設定を備えることである。それらのエントリは、貴方が会議の開始時に貴方のタグを受け取る前に配置されていてよく、あるいはＲＦＩＤ読み取り器または他の無線通信媒体によって、後に配置されてもよい。例えば、貴方がメニューにおいて最後に呼んだ項目を、貴方が当該項目を削除するまでリストの最上位に残すことができる。あるいは、メニューが、リストの最上位に常に戻ってもよい。典型的には、貴方が眺めることを望みうる最も重要なことが、メニュー・リストの最上位に存在する。例えば、それは、会議において貴方がかかわった人々（したがって、彼らの名前が貴方のタグに記録されている）の順序付けられたリストであってよい。あるいは、最上位の項目が、そのような選択がタグへとプログラムされている場合には、文脈に沿ったやり方で選択されてもよい。
【００３９】
貴方が会話モードにある（人と会っているが、ＲＦＩＤ読み取り器の付近を通過していない）とき、貴方が会話した人物のリストなど、或る１つの種類の項目が、貴方のリストの最上位にあってよい。一方、貴方がＲＦＩＤ読み取り器の付近を通過するとき、貴方のリストの最上位項目が、例えば、貴方が当該読み取り器の付近を通るときミーティングに行くところであれば、会議の予定表に変化してよい。読み取り器が、出展者のブースの入口に配置されている場合には、順序付けられている貴方のリストの最上位項目が、ブースのリストおよびそれらの位置であってよい。各人が自身のリストの最上位に何を有すべきかを決定するため、人工知能を使用することができる。それらの決定を行なう際に、タイマーを使用することができる（例えば、貴方が他の者とやり取りしてからどれくらい経過したか、あるいは貴方が特定のＲＦＩＤ読み取り器を通過してからどれくらい経過したか、を把握する）。
【００４０】
本発明の他の実施の形態は、タグをＰＤＡと組み合わせることにある。例えば、組み合わせユニットをＰＤＡとして使用するとき、ＩＲインターフェイスが、ユニットの端部（例えば、図３に示した部分）に直面する。装置をタグとして使用するとき、ＩＲ装置が、図１（要素２０）に示すようにユニットの前面に直面する。あるいは、装置が２つのＩＲ送信器‐受信器を、１つを上部に、１つを前面に備えることができ、送信をスイッチを使用し、あるいはすでに述べた方向センサを使用して、一方から他方へと切り替えることができる。あるいは、鏡装置または他の光スイッチを使用し、ＩＲビームの出力をタグ上の或る１つの位置から他の位置へと切り替えることができる。
【００４１】
さらに、タグが、ＩＥＥＥ  ８０２．１１および後継のあらゆる規格に準拠したＷｉＦｉ受信器など、通信のための他の機構を有してもよい。これらを、通信のために同様に使用することができる。これは、中央のウェブサイトまたは会議における中央のホストコンピュータへと、容易な通信を可能にするであろう。この技術分野において公知である無線通信の他のあらゆる形態も、干渉の問題が克服できる限りにおいて、タグに使用することができる。
【００４２】
タグは、ＩＲおよびＲＦＩＤ通信媒体を超える追加の情報収集装置を有することができる。例えば、タグが、ＧＰＳ位置標定装置を含むことができ、タグが、タグを装着している各人が現在どこに位置しているかを「知る」ことができる。ＧＰＳが充分に良好な建物内カバレージを提供しない場合、三角測量によって機能する位置検出システムを、ＧＰＳに加えて使用することができる。ＧＰＳは、建物内におけるよりも、屋外において良好に機能する。その位置情報がＲＦＩＤ読み取り器を介して中央位置へと送信され、かつ充分なＲＦＩＤ読み取り器が存在しているとき、各人の場所をいつでも容易に突き止めることができる。貴方は、誰かを見つけるべきであると言われた場合に、その者の名前を貴方のタグに入力でき、ＲＦＩＤ読み取り器の付近を歩いて、その者が会議においてどの辺りに存在するのかについての情報を取得することができる。同様に、貴方のタグは、貴方がＲＦＩＤ読み取り器の付近を通過したときに、貴方の位置をＲＦＩＤ読み取り器に渡すであろう。あるいは、タグが無線送信能力を有している場合には、貴方の位置を中央のコンピュータへと連続的に送信することができる。次いで、タグは、同じやり方で中央のコンピュータへと照会して、他のあらゆるタグ装着者の位置を確認することができる。後述するとおり、貴方が会議において他の者と何かを共有していると告げられたとき、これが、その者を見つけるうえで貴方の助けになるであろう。誰が或る者の位置情報にアクセスしたかを割り出すため、さまざまなルールを適用できる。例えば、タグ装着者として、私が或る選択を行なって、その選択をタグへと入力することができ、（１）誰もが私の位置情報を手にすることができる、または（２）私が「会った」（所定の時間にわたってかかわりあった）人たちだけが私の位置情報を手にすることができる、または（３）例えばイベントのスタッフの一部または全員など、私が個人名を特定し、あるいはグループとして特定した者だけが私の位置情報を手にすることができる、旨を示すことができる。
【００４３】
本発明のタグは、携帯電話において使用される種類の通信を取り込むことも可能である。そのようにすることで、電話システムを使用して情報をタグへとダウンロードでき、あるいはタグへとアップロードできる。さらに、タグが、今や「Ｂｌａｃｋｂｅｒｒｙ」のような携帯電子メール装置によって商業的に使用されているものなどの無線または衛星通信システムを使用してもよい。当然ながら、タグがＰＤＡおよび携帯電話の両方の能力を有している場合には、タグによる種々さまざまな通信モードが可能である。この技術分野において知られている他の通信システムであるＳＭＳも、タグに取り入れることができる。
【００４４】
以上述べたタグを利用する本発明の多数の新規な方法が存在する。それらの用途は、タグが情報を組み合わせうるために可能になる。組み合わされる情報は、（１）装着者のタグの内部のメモリ、（２）ＲＦＩＤ読み取り器からタグへと送信され、あるいはすべてのタグまたは選択されたタグへと無線で送信される通信、（３）貴方のタグとＩＲ通信する他のタグのメモリ内の情報、または（４）ボタン１４、１６、および１８を使用してタグへと入力される情報、から由来できる。これらのボタンは、単なる一例である。所望であれば、タグに、完全なキーボードまたはより多くのボタンを備えることができる。３つのボタンは、例えばメニューからの選択、リストの上スクロールまたは下スクロール、あるいは装着者のタグまたは装着者に対面して立つ他の者のタグに表示されたメッセージへの同意（または異議）などの行為の表示、などの短い入力に合わせて構成されている。これら本発明の新規な方法の例を、以下で説明する。
【００４５】
本発明のタグの１つの用途は、装着者が会議にて面会した者を記録することにある。タグには、２つのタグが互いに接触している時間の長さ、または他の任意の経過時間、あるいは実際の時間を計時するために使用できるタイマーが作りつけられている。したがって、メッセージに時間コードを持たせることができる。タグ装着者が読み取り器を通過したのちの経過時間を保持できる。他のタグ装着者と会話またはやり取りして費やした時間である「対面時間」を、測定することができる。タグを、あらゆる係わり合いについて、タグ装着者がやり取りした個人の名前および所属を記録する前に所定の長さの対面時間を要するようにプログラムできる。この最低限の時間は、例えば１分間に設定できる。これにより、タグは、装着者が少なくとも１分間にわたってやり取りした各人を記憶する。これにより、きわめて短い「こんにちは」程度の遭遇者、またはホールですれ違った人々などの意図せぬ遭遇者からのデータを保存しないようにできる。少なくとも１分間を費やした各人について、彼または彼女の名前（及び、タグに予めプログラムされた所属等の他のデータ）が彼または彼女のタグから貴方のタグへと渡されるとともに、その逆も然りであり、例えばそれぞれのタグのメモリにリストとして保持される。
【００４６】
貴方が誰かと出会ったとき、貴方のタグは、会議において貴方が会った人々の名前を、彼女が会った人々の名前と比較することができる。次いで、所望であれば、一方または両方のタグが、この２つのタグの装着者が共通して会った人々のリストを生成することができる。名前が不要であれば、タグは、この２人の装着者が共通に会った人々の数を表示し、この２人の装着者が同じサークル内で交友しているか否かを示すことができ、一方の者が会った人々を他方と比較し、両者の間の重なり合いの程度を示すことができる。さらに、一方または両方のタグが、両装着者が最も最近に共通に会った者の名前を表示することができる。作り付けのタイマーが、対面接触のそれぞれの時刻を関連付け、順序付けされたリストを生成することができる。
【００４７】
タグは、２次ミーティングの記録を行なうことができる。例えば、タグは、貴方が会った者に会った第三者の名前を表示できる。あるいは、装着者が対面したとき、一方の装着者のタグが、当該装着者が会った人物であっておそらくは貴方が探している者である同じ第三者にも会っているすべての人物の名前を表示できる。さらに、いずれかのタグが出合った時刻を表示でき、あるいは人々のそれぞれが当該第三者に出合った時間の順序で整列されてなる名前のリストを表示できる。さらに、各タグは、装着者がＲＦＩＤの付近を通過した時刻のそれぞれを記録することができる。この情報は、当該タグが通信する他のタグへも送信され、以下でさらに説明するとおり、誰かが他の誰かの位置を少なくともある程度突き止めることができる。
【００４８】
一致を、会議において二人以上の者が共通に有するであろう趣味、経歴、または他の事柄を含むように広げることができる。例えば、各会議参加者の趣味が彼らのそれぞれのタグへとプログラムされる場合、貴方が誰かに接近して貴方の趣味が鉄道模型であることを彼女に伝えたときに、それが彼女にとっても趣味の１つであるか否かを彼女のバッジが示すことができ、あるいは鉄道模型が趣味であると示しているタグを有している他の者に彼女が既にかかわったか否か（タグ内にあらかじめ設定された係わり合いに関するルールによる）を、示すことができる。次いで、貴方が会話をしている相手のタグが、所望であれば、そのような他の者の名前、および貴方が現在係り合っている相手が鉄道模型を趣味としている第三者に会った時刻を、列挙することができる（さらに、所望であれば、その者が鉄道模型を趣味とする第三者に会って以降の経過時間も）。
【００４９】
タグは、貴方が現在係り合っている人物のプロフィールの任意の項目について一致できるだけでなく、当該人物が既に会った人物のプロフィールの任意の項目についても一致できる。貴方が会った誰かが、貴方とは何も共通に有していない場合、彼女のタグが「我々にはあまり共通点がありませんが、Ｓａｌｌｙとお話しになられたらよいかと思います」というメッセージを表示するようにプログラムされていてよい。さらにメッセージは、「私は４分前にＳａｌｌｙと話しました」と続けることができる。次に貴方は、この人物に対して４分前にどこにいたかを尋ね、Ｓａｌｌｙを探してそこへ向かうことができる。タグがＧＰＳ能力を有しているならば、さらにタグが、一致する個人的特徴を有している貴方が探している人物について、室内における既知の最後の位置を表示することができる。たとえＧＰＳが無くとも、タグは、いつ人物が最後にＲＦＩＤ読み取り器を通過したのかを知らせる情報を含むことができ、貴方がその者を探しているときにその者がどこにいるのかについて、或る程度のヒントをもたらすことができる。
【００５０】
タグは、それらが有した対面でのやり取りの数にもとづいて、人々について計算を行なうことができる。例えば、タグは、どのくらい多くの人々と係り合ったかにもとづいて、貴方が社交的であるか、あるいは社交的でないかを、計算して表示できる。
【００５１】
本発明のタグを使用する多くの情報は、自身のタグではなく、誰か別の者のタグを眺めることによって伝達される。これは、例えば、基本的に貴方が他人のＰＤＡではなく自身のＰＤＡを眺めることによって情報を得る従来技術のＰＤＡと相違している。しかしながら、例えば会議についての情報がすべてのタグへと発信される場合など、自身のタグを眺めることも可能である。
【００５２】
本発明のタグが身に着けられ、ユーザの介在無く他のタグと電子的に通信できることが、重要である。これは、通信が意図によってのみ行なわれるＰＤＡと相違している。ＰＤＡの場合には、ユーザは自身のポケットからユニットを取り出し、情報を伝達すべく他人のＰＤＡへと向ける。ＰＤＡにはモードが存在せず、したがって常に範囲内の他のあらゆるＰＤＡへと送信を行なうモードである。ラップトップ・コンピュータは、範囲内の他のコンピュータとの通信経路を自動的に確立することが多いが、実際の通信は、ユーザの介在なくしては行なわれない。本発明のタグが首にぶら下げられ、あるいは常にオンであって他のタグと通信できる他のやり方で身につけられているという事実は、少なくとも幾らかの通信についてユーザの介在が無いことを約束している。
【００５３】
タグ間の自動的な通信の範囲は、ユーザが設計することができる。例えば、２つのタグが対面したとき、自動的に名前を交換でき、あるいは名前および企業のつながりを交換できるが、それ以上は交換されない。名刺などのさらなる情報を或るタグから他のタグへと伝達するためには、ボタン１４、１６、および１８を押すなどのユーザの介在を求めることができる。
【００５４】
会議における本発明のタグのきわめて重要な用途は、会話をすすめる点にある。これを行なうための１つのやり方は、各人に「秘密のパートナー」を割り当てることである。貴方が他の人物と会ったとき、当該他の人物のタグが「私が貴方の秘密のパートナーです」と宣言し、そうでない場合には、「貴方の秘密のパートナーと１０分前に会いました」あるいは「貴方の秘密のパートナーに３分前に会ったという人に５分前に会いました」と宣言することができる。これによって貴方は、「５分前にどなたと話しましたか」と尋ねることになる。あるいは、貴方が話をしている人物が、彼女が５分前に会った人物に貴方を紹介することができる。
【００５５】
このような意見交換をすすめるため、会議の企画者は、各人に、その者が会うことになっている数人の名前を与えることができる。貴方がそれらの人物のうちの１人に会ったとき、貴方のタグは、その名前をリストから削除することができる。次いで、貴方が会うべき次の人物が、タグ上に表われる。貴方または会議の企画者のいずれかが、貴方が会うことになっている３人の重要性の順序を選択することができる。貴方が出会う各人は、（１）彼女が貴方に割り当てられた人物のうちの１人に既に会ったか否か、および／または（２）彼女が貴方に割り当てられた人物のうちの１人に会った誰かに会ったか否か、および所望であればそれが誰かを、彼女のタグに自動的に表示することができる。
【００５６】
このタグを使用する本発明の他の方法は、入口調査である。例えば、イベントの３０分前に、貴方のタグがライトを点灯させ（または、ビープ音を鳴らし、あるいはタグの振動などユーザの注目を促す他の任意の方法で）、メッセージがあることをユーザに知らせる。タグのタイマーを、例えばスピーチのあらかじめ定められた時間だけ前に、「質問をポップアップさせる」ために使用することができる。指定された時間にタグが点灯または鳴動し、貴方が以下の質問「貴方の会社にとって最大の脅威は何か」に回答しなければならないとするメッセージを表示する。次いで、貴方のタグが、「（１）中東における戦争」、または「（２）ＣＥＯの報酬が高すぎる」、または「（３）マイクロソフト社との競合」など、複数の回答を表示する。この情報および質問は、貴方が室内へ入るべくＲＦＩＤ読み取り器を通過したときに貴方のタグへとダウンロードされており、あるいはタグを手渡すときに前もってタグに保存されており、あるいはすでに説明した他のやり方で入力されている。
【００５７】
貴方は、リストを上スクロールおよび下スクロールすべくボタン１４または１６を使用し、貴方の選択を選ぶべくボタン１８を使用することによって、この質問に回答する。貴方が、これを部屋へと入る前に行った場合、貴方の回答を、貴方が部屋へと入るときにＲＦＩＤ読み取り器によって読み取ることができる。部屋内のすべてのタグ装着者からの結果は、中央のコンピュータによって集められ、話をするＣＥＯにとってスピーチの前に入手可能にされ、ＣＥＯが「あなたたちの７４％がわが社の最大の問題であるとして選択したとおり、私の報酬が多すぎることがここにいるすべての人たちにとって問題であることが明らかである」と述べることができるようになる。次いで、彼女は、彼女の話においてその問題を議論することができる。
【００５８】
さらに、話の前または後で、貴方が誰かに会ったとき、貴方らはそれらの質問に対する貴方らの回答を比較することができる。貴方らの両者が同じ回答を行なったのであれば、それについて何かを会話することができる。タグが通信し、さらにそのようにプログラムされているならば、貴方らが質問に同じ回答をしたのか否かを表示することができる。貴方らが異なる回答をしたのであれば、それぞれのタグが、貴方が会話している相手の人物による回答を表示して、彼に貴方が質問にどう回答したのかを伝えることができ、逆もまた然りである。これもまた、会話のための燃料を提供するであろう。
【００５９】
さらに、タグのそれぞれが、ミーティングの時刻および会話をしている２人の名前を記録してもよい。貴方が読み取り器の付近を通過するとき、質問に対して貴方が選択した回答が読み取り器によって読み取られるだけでなく、その時点まで、または決められた任意の時点の間に貴方が会話したすべての者の名前も読み取られる。このようにして、ミーティング企画者は、誰が誰と会ったのかについての中央のデータベースを維持できる（各タグ装着者が出会いの後で読み取り器の付近を歩いて過ぎたならば）。
【００６０】
さらに他の用途は、スピーチの後で情報を集めることにある。タグを、点灯して貴方に貴方がスピーチについてどう思うかを尋ねるように構成することができる。貴方は、例えばＬｉｋｅｒｔ  ｓｃａｌｅを使用する複数の選択肢に、貴方のタグのボタンを使用して回答でき、次いで貴方の回答が、貴方が部屋を出るときに（ＲＦＩＤ読み取り器によって）集められる。
【００６１】
このタグの他の重要な用途は、ミーティングの参加者の間に共通の基盤を確立することにある。例えば、貴方は、タグ間通信を開始する前に、貴方のタグを使用して質問に答えることができる。ミーティングがＬａｓ  Ｖｅｇａｓで行なわれる場合、質問は「Ｖｅｇａｓで最もご覧になりたいショウは何ですか」であってよい。次いで、スクロールして選択できる任意の数の選択肢が続くことができる。２人が面会するとき、タグがそれぞれの者について選択したショウの名前を表示でき、あるいは選択したショウが同じであるか否かを表示することができ、あるいはその両方を表示することができる。さらに、タグ装着者が、他の２人の者の間のブローカーとなることができる。貴方ら２人が同じショウを選択しなかった場合、タグは「私はＣｉｒｑｕｅ  ｄｅ  Ｓｏｌｅｉｌを選びませんでしたが、そのショウを選んだ方に２分前にお会いしました」と表示することができる。次いで、その相手方は、ただいま会話している人物に彼女が２分前に会った人物の名前を尋ねることによって、その人物を見つけようと試みることができる。
【００６２】
同じ種類の交換が、興味または趣味についても機能する。出席者が、会議への登録の際（あるいは、到着後）に、自身のタグへと自身の主たる趣味を入力するならば、それをすでに述べたような同じやり方で使用することができる。貴方が誰かに接近したとき、タグが、全員のタグに共通に入力されたデータのすべてを検索できる。次いで、一致が発見された場合、貴方が会話をしている相手のタグが、「あら、あなたも鉄道模型がお好きですか」、または「あなたもＷｉｓｃｏｎｓｉｎ州Ｅａｕ  Ｃｌａｉｒｅからおいでですか」、あるいは「鉄道模型がお好きとお見受けしますが、４分間前にやはり鉄道模型がお好きという方とお会いしましたよ」と表示することができる。これらの表示が、会話を流れるようにするであろう。
【００６３】
本発明の他の方法は、タグにホストの役割を演じさせることにある。カクテル・パーティのホストがゲストに会い、彼女を他のゲストへと案内して「お二方とも投資関連のお仕事をされているそうで」と述べる。次いで、ホストはどこかに消え、２人は仕事について話すことができる。タグは、この機能を演じることができる。タグは、この社交的機能をユーザの介在無しで実行する。集まりにおいて貴方が他の人物と出会ったとき、タグが貴方らよりも先に会話する。タグが、各タグに保存されているデータを検索し、貴方がその人物と何を共通に有しているのかを、存在するのであれば見つけ出そうと試みる。それは趣味であってよく、例えば貴方らの両者が読んだ大衆本や貴方らの両者が見た映画など、興味であってよく、居住地、仕事、楽しんでいるスポーツ（または観戦を楽しんでいるスポーツ）、などであってよい。共通事項がお互いのタグに表示される。それが存在しない場合、他方のタグが「私はＥａｕ  Ｃｌａｉｒｅの者ではありませんが、Ｅａｕ  Ｃｌａｉｒｅの方に１５分前にお会いしましたよ」と述べることができる。とくに、居住地が共通でなく、あるいは趣味または興味が共通でない場合、先の面会を知らされた者は、ほぼ確実にその者を探そうと試みる。
【００６４】
タグがＧＰＳ受信器を有している場合、装着者の位置がＲＦＩＤを介し、あるいはタグにおいて利用可能であるならばＷｉＦｉまたはブルートゥースなどの他の無線通信を介して、中央のホストに送信されるため、貴方が会話したいと望む人物を発見することが、はるかに容易になる。ＧＰＳは、ＲＦＩＤが使用されている場合には、単にＲＦＩＤの付近を通過するだけですでに貴方の所在が示されるため、多くを加えるものではない。しかしながら、より長距離の無線がタグに搭載されているならば、各装着者の所在を継続的に中央のデータベースに送信でき、それを各タグがそれぞれの無線受信器を介して利用できる。
【００６５】
ＧＰＳがタグに備えられている場合、そのタグを、タグ装着者から特定のフィート数の範囲にいる（あるいは、彼女が会話している人物から特定のフィート数の範囲にいる）すべての者のリストを提供するために使用することができる。好ましい実施の形態においては、これを、アクティブ無線システム（ａｃｔｉｖｅ  ｒａｄｉｏ  ｓｙｓｔｅｍ）またはタグ上のレンジ・ファインダー（ｒａｎｇｅ  ｆｉｎｄｅｒ）を使用するタグ対タグ近接度検出によって実現することができる。そのようなシステムは、「ＳｐｏｔＭｅ」と呼ばれるシステムにおいてすでに使用されている。しかしながら、本発明と異なり、ＳｐｏｔＭｅ装置は装着可能な装置ではなく、むしろＰＤＡのように動作し、所望のやり取りのそれぞれのためにユーザのポケットから取り出さなければならない。
【００６６】
近傍の人々の名前を、貴方のタグまたは他の者のタグに表示させることができる。あるいは、貴方が名前を入力し、その人物が貴方から選択されたフィート数の範囲内にいるか否かを尋ねることができる。さらに貴方は、タグに対して、その人物が貴方から２５フィートの範囲に至ったならば知らせるように、要求できる。それが生じたとき、貴方のタグは、光、ビープ音、またはすでに述べた他の方法で、貴方に通知することができる。さらに、ＧＰＳの情報は、どちらの方向に歩くべきか貴方に知らせることができる。貴方が対面している人物のタグが、「Ｂｏｂが鉄道模型を好んでおり、貴方の北西４２フィートに位置している」と述べることができる。これらはすべて、タグが含んでいる情報、他のタグから受信した情報、または他の任意のやり方で受け取った情報を比較すべくタグの演算能力を使用し、タグによって行なわれる。
【００６７】
本発明の他の方法は、タグを「人物宝探し」に使用することである。例えば、各人は、Ｃｈｉｃａｇｏから来た自分以外の者を３名探さなければならない。あるいは、貴方は、Ｃｈｉｃａｇｏから来た者であってブロッコリーを好む者を１人見つけなければならない。データは、すでに述べたように、多くの場合は会議の前にタグへと供給される。次いで、さまざまな人物と対話することによって、すでに述べたとおり、貴方が会話をしている相手が「私はＣｈｉｃａｇｏの者ではありませんが、Ｃｈｉｃａｇｏの方に２分前にお会いしました」というメッセージを表示したとき、貴方は探索を絞り込む。これらの手掛かりによって、貴方は貴方の「宝」（Ｃｈｉｃａｇｏから来た者であってブロッコリーを好む者）を発見することができる。
【００６８】
社交的やり取りの促進に加え、さらにタグを、イベントの管理に使用することができる。それらは、どの人物がどのスピーチに出席したかを記録でき、あるいはイベントにおける人々の間のやり取りの量および種類を記録することができる。タグは、各部屋の入口のＲＦＩＤ読み取り器によって、誰がどこへ行ったのかを記録することができる。訪問されるブースが存在するとき、各ブースがＲＦＩＤ読み取り器を備え、出席者を記録することができる。人々が、自身の詳細な情報を、それを共有したいと望む場合を除いて秘密に保ちたいと望む可能性があるため、タグを、その者の名前または名前と所属のみを自動的に送信するようにプログラムすることができる。或る者が、自身の名刺（例えば、電子メール・アドレスを有している）を共有したいと望む場合、当該タグ装着者にボタンのうちの１つを押すように求めることができ、その結果、当該追加の情報が送信される。
【００６９】
ブースのＲＦＩＤ読み取り器は、装着者が望むのであれば、タグ装着者へと情報をもたらすこともできる。例えば異なるボタンを押すことによって、タグは、当該ブースを後援している企業についてのデータ、または当該企業の製品についてのデータを受け取ることができる。あるいは、当該ブースのスタッフがタグを装着でき、当該ブースを訪れた人々であって自身の名刺情報を送信することに同意したすべての人々の名刺を、記録することができる。ブース管理者は、ブーススタッフについての情報を彼らのタグから集めることができ、どのスタッフが人々と会ううえで最も効率的であるカスタマーを確認し、彼らにより詳細な名刺型のデータを共有させることができる。
【００７０】
出席者は、自身のタグを使用（出席者のタグのボタンを押すことによって）して、ブースのスタッフのタグに、今後の製品情報の要求を知らせることができる。貴方の自身のタグは、訪問したブースのリストを保持している。したがって、所望であれば、ブースのスタッフに名刺情報を直接伝える必要はない。貴方は、訪問したブースの自動のリストを保持でき、事後に、貴方の名刺を送りたいと望むブース、またはさらなる情報の要求を送信するブースを選択すべくタグを使用できる。会議の終わりにおいて貴方のタグが返却されるとき、データが照合され、選択されたブースの運営者のそれぞれに送信される。あるいは、すでに述べたように、データをイベントの最中にＲＦＩＤ読み取り器によって貴方のタグから読み出すことができる。さらに、データは、タグから読み取られたのちにウェブサイトを介して出席者にとっても利用可能であり、イベントのかなり後でフォローアップ情報を要求しておくべきであったことに気が付いた参加者が、容易にそのようにすることができる。
【００７１】
タグを「自動」ＰＤＡとして使用することができ、任意の２人が出会ったときに名刺交換をもたらすことができる。これは、すでに述べたとおり、自動であるようにプログラムでき、あるいはボタンを押す必要があるようにプログラムできる。本発明の装着可能なタグによれば、ＰＤＡと対照的に、インターフェイスが常に存在し、一方ＰＤＡにおいては、まずポケットから取り出す必要がある。
【００７２】
タグは、多数のレベルの情報交換を提供する。第１のレベルは自動である。貴方が、同様にタグを装着している誰かと対面したとき、相手の者が眺めることができるよう、貴方のタグに貴方の名前（および、おそらくは所属）が現れる。これは、単純な名前タグと同様である。２名が互いに近付いたとき、「私もブロッコリーを好みます」などのメッセージが、時間を置かずに表示される。次のレベルは、同意による通信であり、貴方が他のタグへと名刺を渡すためにボタンを押す。さらなるレベルは、貴方が出会った人物の記憶を助けるためにタグを使用することである（これは公であり、秘密の情報ではない）。意味の無いリストを避けるためにタイマーが設定され、１分間のＩＲ交流時間の後にのみ、名前および所属などの情報が貴方のタグおよび相手のタグに記録される。これにより、ホールですれ違ったが会ってはいない人々からなる意味のないリストを集めてしまうことがないようにできる（おそらく、全出席者のリストは会議管理者から得ることができる）。さらに、タグは、記録された面談が行われた時刻について時刻スタンプをもたらすため、自身のタイマーを使用できる。
【００７３】
イベントの終わりにおいて、貴方はタグを管理している者であってイベント後に貴方のタグからデータを読み出した者から、電子メールを受け取ることができる。この電子メールは、例えば２つのリストを含むことができる。１つ目のリストは、貴方が会った（しかしながら、完全なデータ交換は行なわなかった）人々を含むであろう。このリストは、人々の名前と所属のみを含むであろう。もう一方のリストは、貴方が完全なデータ交換を行なった人々を含み、それらの人々について交流のために選択されたすべてを含むであろう。
【００７４】
他の有用な情報を、タグから収集して出席者に配布することができる。例えば、各人が、その者が会議において出会った人々の数についてのデータを、各人が会議において出会った人々の数の平均とともに受け取ることができる。所望であれば、この情報を計算し、すでに説明した技法を使用してタグへと置くことができ、この結果、会話をしている２人の者が、お互いのタグにてその者が会議において何人に出会ったのかを見ることができ、さらに彼らが共通に出会った人数を（有用であるならば、名前も含めて）見ることができる。さらに、或る者が他の者が未だ会っていない者に何人会ったかについて、データを保持することができる（さらに／あるいは、タグに表示することができる）。
【００７５】
統計を作成して配布することによって、或る者が内向的であるのか、外交的であるのかを、判断することができる（タグ装着者が会った人々の数を、各参加者が会った平均の人数と比較することによって）。このようにして、参加者のソーシャル・ネットワークの相対的な大きさを計算し、比較することができる（例えば、貴方は１００人とつながりを持ったが、私はわずか５０人である、など）。これは、各人がイベントにおいてどれだけ上手くソーシャル・ネットワークにつながったか、および彼らのネットワークの統計が他の者とどのように比較するかについて、参加者にフィードバックをもたらす。
【００７６】
最後のレベルの通信は、フォローアップにおいて興味を示すために使用される。貴方が誰かと会話しているときに、貴方が異なるボタン（完全なデータ交換を許可するために使用されるボタンと異なるボタン）を押し、その者をフォローアップするようフラグを付す。そして、会議の後で貴方は、（１）貴方が会話をした人々、（２）貴方が「名刺」を交換した人々、および（３）貴方が何らかの理由でフォローアップしようと決めた人々、という３つのリストを手にする。所望であれば、フォローアップの候補者にアスタリスクを付し、リストを２つだけにしてもよい。望むのであれば、例えば「フォローアップ」ボタンを２回押すことによって、「緊急フォローアップ」なるカテゴリーを設けてもよい。これらの特徴は、貴方がブースを訪れる場合にも、やはりタグを装着している通行人またはブースのスタッフによって、同様に使用できる。イベント企画者が、同じ種類のリストをブースのスタッフのために提供できる。同意による送信の一例は、タグを反転させ、ボタンを押し、タグが貴方と会話中である人物の名前に続けてチェックマークを配置し、貴方が電子メール、電話番号、携帯電話番号、またはあらかじめ送信対象として選択したあらゆる事柄など、完全な接触情報を送信したいと望んでいることを示す。
【００７７】
中央の読み取り器から１つまたは複数のタグへと強力な信号を使用する無線またはＲＦＩＤ信号発信を、全員にメッセージを送信するために使用することができる。とくに、応答が必要でない場合、ＲＦＩＤは広い領域をカバーすることができる。そのようなメッセージは、１０分でスピーチが始まること、またはスピーチが１５分遅れること、あるいは受付にファクシミリが届いていることを伝えることができる。ファクシミリは１つのタグに固有であるため、メッセージは装着者のタグＩＤとともに送信でき、当該装着者のタグのみがそれを取り上げる。所望であれば、タグを選択的であるようにプログラムでき、すべてのタグへと向けられたメッセージ、または当該特定のタグにのみ向けられたメッセージのみを保存し、他のタグへと向けられたメッセージは保存しない。この送信の特徴は、イベントの予定、話者の経歴、出展者のリスト、または他の共通に有用な情報の送信に使用できる。
【００７８】
ＲＦＩＤタグ通信は、中央のデータベースに、誰が室内に入ったのか、誰が部屋から出たのかを記録でき、それら情報を使用して、誰が室内にいるのか、誰が特定のスピーチに誰が出席したのか、あるいは誰がブースを訪問したのか、種々のミーティング活動に誰が参加し、誰が参加しなかったのかを、記録することができる。例えば、医師や弁護士などの専門家が、或る特定のスピーチに参加した場合にのみ、その会議について「継続訓練」の履修証明を手にすることができる。タグを、そのような情報のすべてを会議の管理者にもたらすために使用でき、それら情報を、弁護士会または医師会に伝えることができる。今や多くの会議が、個人の参加の確認をスポンサーまたは出展者に提供するため、監査員を雇用している。タグによって集められる参加データによって、そのような監査員の必要性を無くすことができるであろう。
【００７９】
さらに、或る特定のあらかじめ選択された参加者のみが進入できる領域を設けることができる。或る者がその領域に進入するとき、ＲＦＩＤ読み取り器が、その者のタグから、その者が進入を許されているか否かを検出できる。否である場合、ブザーを鳴らすことができ、あるいは戸口にいる者が、進入しようとしている者がそのような許可を有していないことを知らせる信号を受け取ることができる。これにより、戸口にいる者が「ＩＤをお持ちですか」と尋ねることができる。許可されていない者を、入口で拒絶することができる。この動作モードを使用し、タグを、領域およびイベントへの「デジタル・チケット」を保存および送信するために使用することができる。これらのチケットは、それらを或る者から他の者へとどのように渡すことができるのかについて、ルールを保持することができる。開かれたパーティについては、チケットが、或る者から他の者へと渡されるときに複製され、第２の者にチケットが残される。
【００８０】
例えば参加者の数に限度がある場合、複製の数を制御することができる。例えば、１つのタグは、３枚のチケットのみを提供できる。その後、さらなるチケットを渡すことは不可能である。チケットは、自動的に渡されてもよく、あるいはタグ装着者が対話中の者を招待したいと示した（すでに述べたとおり完全な名刺情報を渡す場合と同じやり方で）ときにのみ渡されてもよい。参加者を厳格に制限する場合には、チケットを複製するのではなく、渡すことだけが可能であり、受取人がチケットをさらに渡すことが不可能である。さらに、チケットを受け取ることができる人物のプロフィールについて、ルールが存在してもよい（すでに述べたとおり、「ゴールド・レベル」の仲間に限る、など）。これらのチケットを、すでに述べたとおり保安機構に結び付けることができる。
【００８１】
タグの使用の他の方法は、パーソナライズされたメッセージ表示板に関係する。貴方が、標識または広告の近傍を歩き過ぎるとき、標識が貴方のタグを自動的に読み取り（貴方のタグにおいて利用できる通信方法のいずれかを使用する）、パーソナライズされたメッセージを表示する。この動的なメッセージ表示板は、例えば会議において、「貴方が登録されている会議があと５分で始まります」と表示することができる。あるいは、貴方が会議に前もって登録しており、所有するラップトップ・コンピュータについての質問に「Ｔｏｓｈｉｂａ」と答えている場合、表示板は、貴方のＴｏｓｈｉｂａ製ラップトップのためにとくに設計されたＷｉＦｉアダプタの広告を表示することができる。これは、貴方のタグが表示板の通信範囲（例えば、ＩＲまたはＲＦＩＤ）に至ったときに自動的に生じることができる。あるいは、表示板が貴方への留守番電話メッセージを表示することができる。
【００８２】
本発明のタグの好ましい実施の形態は、ＲＦＩＤおよびＩＲ通信の両者を有しているため、メッセージ表示板は、両方の信号を読み取ろうと試みることができる。ＲＦＩＤ信号のみが受信され、ＲＦ信号が受信されなかった場合、表示板は、貴方がＩＲ通信のために充分近くではないが、ＲＦＩＤ通信できる近さにいることを「理解」し、貴方へのメッセージを、遠方から読み取ることができるよう大きな活字で表示することができる。それは、「留守番電話メッセージ有り」などの短いメッセージであってよい。貴方が表示板により近付いたとき、表示板によってＩＲ通信が検出され、活字を小さくしてメッセージを「携帯電話番号（９９９）２２２‐３４５４へと母親に連絡されたい」などとより詳細にできる。
【００８３】
これらのタグは再利用可能であるため、会議または集会の終わりにおいて返却されることが重要である。タグが確実に返却されるようにするため、例えばイベントの終了３０分前に発光または鳴動するようタグのタイマーで時間を設定して、タグに告知を表示することができ、タグを返却するようメッセージを表示することができる。タグの返却を強制するため、参加者に、タグが返却されるまでは、彼らの所望の接触情報のすべてを含んだ電子メールは送信されない旨を、通知することができる（タグまたは他の方法によって）。さらに、戸口のＲＦＩＤ読み取り器を、或る者がタグを手にしたままミーティングの領域を離れようとする場合に、警報をもたらすように接続できる（万引き防止に使用されているように）。
【００８４】
本発明のタグおよびタグを使用する通信方法に、他にも多数の実施の形態が存在することを、当業者であれば容易に理解できるであろう。したがって、本発明は、以下の特許請求の範囲に記載されるとおりにのみ制限されるべきものである。
【００８５】
（付録Ａ）
【００８６】
【表１】
2011102989.tif 000003
【００８７】
【表２】
2011102989.tif 000004
【００８８】
【表３】
2011102989.tif 000005
【００８９】
【表４】
2011102989.tif 000006
【００９０】
【表５】
2011102989.tif 000007
【００９１】
【表６】
2011102989.tif 000008
【００９２】
【表７】
2011102989.tif 000009
【００９３】
【表８】
2011102989.tif 000010
【００９４】
【表９】
2011102989.tif 000011
【００９５】
【表１０】
2011102989.tif 000012
【００９６】
【表１１】
2011102989.tif 000013
【００９７】
【表１２】
2011102989.tif 000014
【００９８】
【表１３】
2011102989.tif 000015
【００９９】
【表１４】
2011102989.tif 000016
【０１００】
【表１５】
2011102989.tif 000017
【０１０１】
【表１６】
2011102989.tif 000018
【０１０２】
【表１７】
2011102989.tif 000019
【０１０３】
【表１８】
2011102989.tif 000020
【０１０４】
【表１９】
2011102989.tif 000021
【０１０５】
【表２０】
2011102989.tif 000022
【０１０６】
【表２１】
2011102989.tif 000023
【０１０７】
【表２２】
2011102989.tif 000024
【０１０８】
【表２３】
2011102989.tif 000025
【０１０９】
【表２４】
2011102989.tif 000026
【０１１０】
【表２５】
2011102989.tif 000027
【０１１１】
【表２６】
2011102989.tif 000028
【０１１２】
【表２７】
2011102989.tif 000029
【０１１３】
【表２８】
2011102989.tif 000030
（付録Ｂ）
【０１１４】
【表２９】
2011102989.tif 000031
【０１１５】
【表３０】
2011102989.tif 000032
【０１１６】
【表３１】
2011102989.tif 000033
【０１１７】
【表３２】
2011102989.tif 000034
【０１１８】
【表３３】
2011102989.tif 000035
【０１１９】
【表３４】
2011102989.tif 000036
【０１２０】
【表３５】
2011102989.tif 000037
【０１２１】
【表３６】
2011102989.tif 000038
【０１２２】
【表３７】
2011102989.tif 000039
【０１２３】
【表３８】
2011102989.tif 000040
【０１２４】
【表３９】
2011102989.tif 000041
【０１２５】
【表４０】
2011102989.tif 000042
【０１２６】
【表４１】
2011102989.tif 000043
【０１２７】
【表４２】
2011102989.tif 000044
【０１２８】
【表４３】
2011102989.tif 000045
【０１２９】
【表４４】
2011102989.tif 000046
【０１３０】
【表４５】
2011102989.tif 000047
【０１３１】
【表４６】
2011102989.tif 000048
【０１３２】
【表４７】
2011102989.tif 000049
【０１３３】
【表４８】
2011102989.tif 000050
【０１３４】
【表４９】
2011102989.tif 000051
【０１３５】
【表５０】
2011102989.tif 000052
【０１３６】
【表５１】
2011102989.tif 000053
【０１３７】
【表５２】
2011102989.tif 000054
【０１３８】
【表５３】
2011102989.tif 000055
（付録Ｃ）
【０１３９】
【表５４】
2011102989.tif 000056
【０１４０】
【表５５】
2011102989.tif 000057
【０１４１】
【表５６】
2011102989.tif 000058
【０１４２】
【表５７】
2011102989.tif 000059
【０１４３】
【表５８】
2011102989.tif 000060
【図１】
2011102989.tif 000061
【図２】
2011102989.tif 000062
【図３】
2011102989.tif 000063
【図４】
2011102989.tif 000064